(57)【要約】【課題】所定サイズのプレート状の防虫剤マットを収容装着する外装ケースとしての偏平状の防虫剤容器であって、容器の内部構造を改良することにより外形を大きくすることなく、所定以上の体積や重量の防虫剤マットを収容できるようにしてコンパクト化し、使用時の設置スペースを縮小化するとともに、製造原価の低減化を図ることにある。【解決手段】底板１と側板２と該底板１の適宜箇所に部分的に孔設した窓孔部３とからなる偏平トレー状容器Ａと、底板１１と側板１２と該底板１１の適宜箇所に部分的に孔設した窓孔部１３とからなる偏平トレー状容器Ｂとを、その側板２、１２の上端部を互いに重ね合わせて封止し、その容器Ａ、Ｂ内部にマット状防虫剤を装着した偏平状の防虫剤容器において、各々底板１、１１に平行に２枚のマット状防虫剤が対向して装着されている。【選択図】図２
2004105063.tif 000002
【特許請求の範囲】
【請求項１】
底板１と側板２と、該底板１の適宜箇所に部分的に孔設した窓孔部３とからなる偏平トレー状容器Ａと、底板１１と側板１２と、該底板１１の適宜箇所に部分的に孔設した窓孔部１３とからなる偏平トレー状容器Ｂとを、その側板２、１２の上端部を互いに重ね合わせて封止し、その容器Ａ、Ｂ内部にマット状防虫剤を装着した偏平状の防虫剤容器において、各々底板１、１１に平行に２枚のマット状防虫剤が対向して装着されていることを特徴とする防虫剤容器。
【請求項２】
底板１と側板２と、該底板１の適宜箇所に部分的に孔設した窓孔部３とからなる偏平トレー状容器Ａと、底板１１と側板１２と、該底板１１の適宜箇所に部分的に孔設した窓孔部１３とからなる偏平トレー状容器Ｂとを、その側板２、１２の上端部を互いに重ね合わせて封止し、その容器Ａ、Ｂ内部にマット状防虫剤を装着した偏平状の防虫剤容器において、各々底板１、１１に平行に２枚のプレート状防虫剤が対向して装着されるように、底板１の内面に一方のマット状防虫剤の少なくとも両端部を係止する一対の対向するホルダー部７、８を備え、底板１１の内面に他のマット状防虫剤の少なくとも両端部を係止する一対の対向するホルダー部１７、１８を備えることを特徴とする防虫剤容器。
【請求項３】
前記底板１内面のホルダー部７、８の間に突起部９を備え、前記底板１１内面のホルダー部１７、１８の間に突起部１９を備え、一方のマット状防虫剤の少なくとも両端部の外面側を前記ホルダー部７、８にて係止し、その防虫剤の中間部の内面側が前記突起部９にて保持され、他方のマット状防虫剤の少なくとも両端部の外面側を前記ホルダー部１７、１８にて係止し、その防虫剤の中間部の内面側が前記突起部１９にて保持されていることを特徴とする請求項２記載の防虫剤容器。
【発明の詳細な説明】
【０００１】
【発明の属する技術分野】
本発明は、衣類の虫避け防虫用の所定サイズのプレート状の防虫剤マットを収容装着する偏平形状の防虫剤容器に関する。
【０００２】
【従来の技術】
一般に、プレート状の防虫剤マットは、外装ケースとしての偏平状の外気と連通する通気性の防虫剤容器内に装着固定されて収容されているものであり、その防虫効能の効力は、収容されている蒸散性防虫剤を保持（含有）した防虫剤マットの総体積又は総表面積（厚さ、縦、横長さなど大きさ）により決定される。そのため、防虫剤マットは、必要とする効力（設定効力）に見合うある一定以上の体積や重量や縦、横サイズを必要とし、その防虫剤マットを収容する従来の偏平状の防虫剤容器の大きさ（縦、横のサイズ）は、所定以上の大きさが必要であった。
【０００３】
一般的に偏平状の防虫剤容器は、図５の正面図に示すように、底板１と側板２とにより形成され、該底板１の適宜箇所に部分的に窓孔部３を孔設した一方（正面）の偏平トレー状容器Ａと、底板１１と側板１２とにより形成され、該底板１１の適宜箇所に部分的に窓孔部１３を孔設した他方（裏面）の偏平トレー状容器Ｂとを、そのトレー状容器の開口上端部を互いに重ね合わせて封止して、その容器Ａ、Ｂ内部に単１枚のプレート状の防虫剤マットＤを装着したものである。
【０００４】
このように、従来の偏平状の防虫剤容器内には、防虫剤マットが１枚のみ収容される構造であるため、その防虫剤容器の大きさは、設定効力に見合う１枚の防虫剤マットの総体積に制約されて、所定の縦、横サイズ以下のサイズに小型化することは効力の制約上、きわめて困難であり、そのため防虫剤マット入り防虫剤容器を洋服タンスやクローゼット内に設置して使用する場合の容器のコンパクト化や、設置スペースの縮小化も困難であり、また、防虫剤マットを収容する外装ケースとしての防虫剤容器の製造原価の低減化も困難であった。
【０００５】
【発明が解決しようとする課題】
本発明は、所定サイズのプレート状の防虫剤マットを収容装着する外装ケースとしての偏平状の防虫剤容器であって、容器の内部構造を改良することにより外形を大きくすることなく、所定以上の体積や重量の防虫剤マットを収容できるようにしてコンパクト化し、使用時の設置スペースを縮小化するとともに、製造原価の低減化を図ることにある。
【０００６】
【課題を解決するための手段】
本発明の請求項１に係る発明は、底板１と側板２と、該底板１の適宜箇所に部分的に孔設した窓孔部３とからなる偏平トレー状容器Ａと、底板１１と側板１２と、該底板１１の適宜箇所に部分的に孔設した窓孔部１３とからなる偏平トレー状容器Ｂとを、その側板２、１２の上端部を互いに重ね合わせて封止し、その容器Ａ、Ｂ内部にマット状防虫剤を装着した偏平状の防虫剤容器において、各々底板１、１１に平行に２枚のマット状防虫剤が対向して装着されていることを特徴とする防虫剤容器である。
【０００７】
本発明の請求項２に係る発明は、底板１と側板２と、該底板１の適宜箇所に部分的に孔設した窓孔部３とからなる偏平トレー状容器Ａと、底板１１と側板１２と、該底板１１の適宜箇所に部分的に孔設した窓孔部１３とからなる偏平トレー状容器Ｂとを、その側板２、１２の上端部を互いに重ね合わせて封止し、その容器Ａ、Ｂ内部にマット状防虫剤を装着した偏平状の防虫剤容器において、各々底板１、１１に平行に２枚のプレート状防虫剤が対向して装着されるように、底板１の内面に一方のマット状防虫剤の少なくとも両端部を係止する一対の対向するホルダー部７、８を備え、底板１１の内面に他のマット状防虫剤の少なくとも両端部を係止する一対の対向するホルダー部１７、１８を備えることを特徴とする防虫剤容器である。
【０００８】
本発明の請求項３に係る発明は、上記請求項２に係る防虫剤容器において、前記底板１内面のホルダー部７、８の間に突起部９を備え、前記底板１１内面のホルダー部１７、１８の間に突起部１９を備え、一方のマット状防虫剤の少なくとも両端部の外面側を前記ホルダー部７、８にて係止し、その防虫剤の中間部の内面側が前記突起部９にて保持され、他方のマット状防虫剤の少なくとも両端部の外面側を前記ホルダー部１７、１８にて係止し、その防虫剤の中間部の内面側が前記突起部１９にて保持されていることを特徴とする防虫剤容器である。
【０００９】
【発明の実施の形態】
本発明の防虫剤容器の実施の形態を、図１に示す正面図、図２（ａ）に示す側面図、図２（ｂ）に示す側断面図にしたがって以下に詳細に説明すれば、本発明の防虫剤容器は、図１、図２（ａ）に示すように偏平トレー状容器Ａと偏平トレー状容器Ｂとにより構成され、また偏平トレー状容器Ａ、Ｂのいずれか一方又は両方には、必要に応じて吊り下げ部Ｃが一体的に設けられている。
【００１０】
一方（正面）の偏平トレー状容器Ａは、図１、図２（ｂ）に示すように、底板１と側板２とにより形成され、該底板１の１箇所乃至数箇所の適宜箇所には、部分的に窓孔部３が孔設され、また側板２の１箇所乃至数箇所の適宜箇所には、部分的に窓孔部４が孔設されていて、側板２の上端部は開口している。
【００１１】
また他方（裏面）の偏平トレー状容器Ｂは、図１、図２（ｂ）に示すように、底板１１と側板１２と、該底板１１の１箇所乃至数箇所の適宜箇所には、部分的に窓孔部１３が孔設されていて、側板１２の上端部は開口している。
【００１２】
上記一方の偏平トレー状容器Ａと他方の偏平トレー状容器Ｂの両方には、プレート状の防虫剤Ｄ（防虫剤マット）を装着する防虫剤装着手段７、８、１７、１８（後述）を備えていて、該容器Ａ、Ｂのそれぞれ防虫剤装着手段には、防虫剤マットＤが、少なくとも、その両端部が保持されて１枚ずつ装着されている。
【００１３】
本発明の防虫剤容器は、図２（ｂ）に示すように、上記防虫剤マットＤを装着した偏平トレー状容器ＡとＢとを組み合わせることにより偏平状の防虫剤容器として形成されている。
【００１４】
図２（ｂ）に示すように、本発明の防虫剤容器は、一方の偏平トレー状容器Ａの側板２上端部（開口部）と、偏平トレー状容器Ｂの側板１２上端部（開口部）とを、互いに重ね合わせ、組み合わせて封止することにより形成されて、該容器Ａ、Ｂのそれぞれ防虫剤装着手段に装着した防虫剤マットＤは、防虫剤容器内に互いに平行に離間対向した状態で収容装着されることになる。
【００１５】
偏平トレー状容器Ａ、Ｂの重ね合わせ封止における係止手段としては、例えば図２（ｂ）に示すように、一方の偏平トレー状容器Ａの底板１の両端部内面に係止部５、６と、他方の偏平トレー状容器Ｂの底板１１の両端部内面に係止部１５、１６を立設し、前記係止部５と１５の先端に設けた突起部５ａ、１５ａ、及び前記係止部６と１６の先端に設けた突起部６ａ、１６ａを、互いに係合することにより、偏平トレー状容器Ａ、Ｂを重ね合わせ係止することができる。
【００１６】
次に本発明の防虫剤容器の具体的構造の一例を、図２（ｂ）に基づいて以下に詳細に説明すれば、偏平トレー状容器Ａは、底板１と側板２と、該底板１の適宜箇所に部分的に孔設した窓孔部３とからなる。
【００１７】
偏平トレー状容器Ｂは、底板１１と側板１２と、該底板１１の適宜箇所に部分的に孔設した窓孔部１３とからなる。
【００１８】
各々偏平トレー状容器Ａ、Ｂのそれぞれ底板１、１１には、それに平行に２枚のプレート状の防虫剤マットＤが離間対向して装着されるように、各々防虫剤装着手段が設けられている。
【００１９】
一方の偏平トレー状容器Ａの防虫剤装着手段は、その容器Ａ底板１の内面に、防虫剤マットＤを底板１に対して平行に、そのマットＤの少なくとも両端部を係止する一対の対向するホルダー部７、８を立設して構成され、また、他方の偏平トレー状容器Ｂの防虫剤装着手段は、その容器Ｂ底板１１の内面に、防虫剤マットＤを底板１１に対して平行に、そのマットＤの少なくとも両端部を係止する一対の対向するホルダー部１７、１８を立設して構成されている。
【００２０】
前記一方の偏平トレー状容器Ａ側の防虫剤装着手段のホルダー部７、８には、防虫剤マットＤ端部の表裏面を保持する突起部７ａ、７ａ、８ａ、８ａを備え、他方の偏平トレー状容器Ｂ側の防虫剤装着手段のホルダー部１７、１８には、防虫剤マットＤ端部の表裏面を保持する両側突起部１７ａ、１７ａ、１８ａ、１８ａを備えている。
【００２１】
次に本発明の防虫剤容器の具体的構造の他の例を、図２（ｂ）に基づいて以下に詳細に説明すれば、上記具体的構造の一例にて説明した防虫剤容器の一方の偏平トレー状容器Ａの防虫剤装着手段を構成する底板１に立設した一対の対向するホルダー部７、８には、防虫剤マットＤ端部の外面（他方の偏平トレー状容器Ｂと対向する面）のみを保持する片側突起部７ａ、８ａを備え、その底板１内面側の防虫剤Ｄの中間部相当部には突起部９が設けられ、防虫剤マットＤは、その両端外面（他方の偏平トレー状容器Ｂと対向する面）を保持する片側突起部７ａ、８ａと、その内面の中間部を保持する突起部９とにより、底板１に平行に保持される。
【００２２】
また、上記具体的構造の一例にて説明した防虫剤容器の他方の偏平トレー状容器Ｂの防虫剤装着手段を構成する底板１１に立設した一対の対向するホルダー部１７、１８には、前記ホルダー部７、８と同様に、防虫剤マットＤ端部の外面（一方の偏平トレー状容器Ａと対向する面）のみを保持する片側突起部１７ａ、１８ａを備え、その底板１１内面側の防虫剤Ｄの中間部相当部には突起部１９が設けられ、防虫剤マットＤは、その両端外面（一方の偏平トレー状容器Ａと対向する面）を保持する片側突起部１７ａ、１８ａと、その内面の中間部を保持する突起部１９とにより、底板１１に平行に保持される。
【００２３】
本発明の防虫剤容器には、一方の偏平トレー状容器Ａの適宜箇所に、図１に示すように、防虫剤マットＤの防虫効能の有効期限を知らせるインジケータＥが設けられる。
【００２４】
そのインジケータＥは、例えば図２（ｂ）に示すように、一方の偏平トレー状容器Ａの底板１内面のインジケータ配置位置に相当する窓孔部３周端に沿って、全周又は部分周に、プレート状のインジケータＥを挟持するための挟持板１０を設け、他方の偏平トレー状容器Ｂの底板１１内面のインジケータ配置位置に相当する窓孔部３周端に沿って、全周又は部分周に、プレート状のインジケータＥを挟持するための挟持板２０を前記挟持板１０に対向して設け、該挟持板１０、２０によりプレート状のインジケータＥを挟持する。なおインジケータＥの両端は保持板１０ａ、１０ａにより抜け落ちないように保持される。
【００２５】
図３は、本発明の防虫剤容器の具体的構造のその他の例を説明する正面図、図４（ａ）はその側面図、図４（ｂ）はその側断面図であり、本発明の防虫剤容器は、図３、図４（ａ）に示すように、偏平トレー状容器Ａと偏平トレー状容器Ｂとにより構成され、また偏平トレー状容器Ａ、Ｂのいずれか一方又は両方には、必要に応じて、吊り下げ部Ｃが一体的に設けられ、図４（ｂ）に示すように、一方の偏平トレー状容器Ａは、図３、図４（ｂ）に示すように、底板１と側板２とにより形成され、該底板１の１箇所乃至数箇所の適宜箇所には、部分的に窓孔部３が孔設され、また側板２の１箇所乃至数箇所の適宜箇所には、部分的に窓孔部４が孔設されていて、側板２の上端部は開口している。
【００２６】
また、他方の偏平トレー状容器Ｂは、図３、図４（ｂ）に示すように、底板１１と側板１２と、該底板１１の１箇所乃至数箇所の適宜箇所には、部分的に窓孔部１３が孔設され、また側板２の１箇所乃至数箇所の適宜箇所には、部分的に窓孔部４が孔設されていて、側板１２の上端部は開口している。
【００２７】
一方の偏平トレー状容器Ａの防虫剤装着手段を構成する底板１に立設した一対の対向するホルダー部７、８には、防虫剤マットＤ端部の外面（他方の偏平トレー状容器Ｂと対向する面）のみを保持する片側突起部７ａ、８ａを備え、その底板１内面側の防虫剤Ｄの中間部相当部には突起部９が設けられ、防虫剤マットＤは、その両端外面（他方の偏平トレー状容器Ｂと対向する面）を保持する片側突起部７ａ、８ａと、その内面の中間部を保持する突起部９とにより、底板１に平行に保持される。
【００２８】
また、他方の偏平トレー状容器Ｂの防虫剤装着手段を構成する底板１１に立設した一対の対向するホルダー部１７、１８には、前記ホルダー部７、８と同様に防虫剤マットＤ端部の外面（一方の偏平トレー状容器Ａと対向する面）のみを保持する片側突起部１７ａ、１８ａを備え、その底板１１内面側の防虫剤Ｄの中間部相当部には突起部１９が設けられ、防虫剤マットＤは、その両端外面（一方の偏平トレー状容器Ａと対向する面）を保持する片側突起部１７ａ、１８ａと、その内面の中間部を保持する突起部１９とにより、底板１１に平行に保持される。
【００２９】
なお、この場合に、図３に示すようにインジケータＥは、例えば、一方の偏平トレー状容器Ａの底板１表面にプレート状のインジケータＥを貼り合わせることにより配置され、また、偏平トレー状容器Ａ、Ｂの重ね合わせ封止における係止手段は、前述の防虫剤容器と同様に係止部５、１５、係止部６、１６の係合により行うものであるので説明は省略する。
【００３０】
【発明の効果】
本発明の防虫剤容器は、その容器内にプレート状の２枚の防虫剤マットを平行に離間対向させて配置して収容することができ、防虫剤容器内には、少なくとも２枚の防虫剤マットが平行に離間対向して収容できる構造であるため、その防虫剤容器の大きさを拡大変更せずに、防虫剤マット収容可能総体積を増大でき、容器サイズの小型化や、設置スペースの縮小化、また、防虫剤容器の製造原価の低減化に効果的である。
【図面の簡単な説明】
【図１】本発明の防虫剤容器の一例を説明する正面図。
【図２】（ａ）は本発明の防虫剤容器の一例を説明する側面図、（ｂ）は本発明の防虫剤容器の一例を説明する側断面図。
【図３】本発明の防虫剤容器の他の例を説明する正面図。
【図４】（ａ）は本発明の防虫剤容器の他の例を説明する側面図、（ｂ）は本発明の防虫剤容器の他の例を説明する側断面図。
【図５】従来の防虫剤容器の正面図。
【符号の説明】
Ａ…偏平状トレー容器　Ｂ…偏平状トレー容器　Ｃ…吊り下げ部
Ｄ…殺虫剤マット　Ｅ…インジケータ
１…底板　２…側板　３…窓孔部　４…窓孔部　５、６…係止部
７、８…ホルダー部　９…保持部
１０…挟持部　１１…底板　１２…側板　１３…窓孔部　１４…窓孔部
１５、１６…係止部　１７、１８…ホルダー部　１９…保持部
２０…挟持部
【図１】
2004105063.tif 000003
【図２】
2004105063.tif 000004
【図３】
2004105063.tif 000005
【図４】
2004105063.tif 000006
【図５】
2004105063.tif 000007